(57)【要約】【課題】コネクタを外す操作が容易であり、且つ、意図せずコネクタが外れてしまう可能性を抑制することが可能な医療用コネクタ及び医療用貯液器を提供する。【解決手段】医療用コネクタ１００は、相互に接続される第１コネクタ部１０及び第２コネクタ部２０と、第１コネクタ部１０に対する第２コネクタ部２０の係止状態を解除するための解除操作部３０と、を有する。第１コネクタ部１０と第２コネクタ部２０とを相互に引き離す方向とは反対方向に、解除操作部３０を手動操作により押圧しながら、第２コネクタ部２０を第１コネクタ部１０から引き離すことによって、第１コネクタ部１０から第２コネクタ部２０が外れる。【選択図】図３
2014030540.tif 000002
【特許請求の範囲】
【請求項１】
第１係止部が外周面に形成されている管状の第１コネクタ部と、
前記第１係止部に対して係止される第２係止部を有する管状の第２コネクタ部と、
を有し、
前記第２コネクタ部を前記第１コネクタ部に向けて第１方向へ移動させることにより、前記第２係止部が前記第１係止部に係止されて、前記第２コネクタ部と前記第１コネクタ部とが相互に連通した状態で接続される医療用コネクタであって、
前記第１方向と、前記第１方向に対する反対方向である第２方向と、に前記第２コネクタ部に対して相対移動可能な状態で、前記第２コネクタ部に保持されている解除操作部を更に有し、
前記解除操作部は、
当該解除操作部を前記第２コネクタ部に対して相対的に前記第１方向へ押し込むための手動操作を受ける操作部と、
前記操作部と一体的に設けられ、前記操作部とともに前記第２コネクタ部に対して相対的に前記第１方向へ移動することにより、前記第１係止部に対する前記第２係止部の係止状態を解除する解除部と、
を有し、
前記手動操作により前記係止状態を解除させる第１操作を行い、且つ、前記係止状態が解除された状態が維持されるように前記操作部を前記第１方向へ押圧しながら前記第２コネクタ部を前記第１コネクタ部に対して相対的に前記第２方向へ移動させる第２操作を行うことにより、前記第１コネクタ部から前記第２コネクタ部が外れる医療用コネクタ。
【請求項２】
前記第１操作により前記係止状態を解除させた後、前記第２操作を行う前に、前記第１方向への前記操作部の押圧を止めた場合に、前記解除操作部を前記第２コネクタ部に対して相対的に前記第２方向へ移動させて、前記第２係止部を前記第１係止部に対する係止状態に復帰させる係止復帰部を更に有する請求項１に記載の医療用コネクタ。
【請求項３】
前記解除部は、前記解除操作部が前記第２コネクタ部に対して相対的に前記第１方向へ移動させられることにより前記第１コネクタ部と前記第２係止部との間に割り込むものであり、
前記解除部が前記第１コネクタ部と前記第２係止部との間に割り込むことによって、前記第２係止部が前記第１係止部から外れる方向に弾性変形する請求項１又は２に記載の医療用コネクタ。
【請求項４】
前記第１コネクタ部は、
管状の第１コネクタ本体と、
前記第１コネクタ本体の軸方向における一部分において、前記第１コネクタ本体よりも径方向に膨出した第１鍔状部と、
を有し、
前記第１鍔状部における前記第１方向側の端面は、前記第１方向を向く係止面となっており、
前記第１係止部は、前記係止面を含んで構成され、
前記第２係止部が前記係止面に係止されることによって、前記第２コネクタ部と前記第１コネクタ部とが相互に接続される請求項１乃至３の何れか一項に記載の医療用コネクタ。
【請求項５】
前記第１鍔状部の外周面は、前記第１方向に向けて徐々に前記第１コネクタ本体の軸心から遠ざかるように傾斜している第１傾斜面を含み、
前記第２コネクタ部を前記第１コネクタ部に対して相対的に前記第１方向へ移動させることにより、前記第２係止部は、前記第１コネクタ本体の径方向に弾性変形しながら前記第１傾斜面を乗り越えて、前記係止面に係止される請求項４に記載の医療コネクタ。
【請求項６】
前記解除部は、前記解除操作部が前記第２コネクタ部に対して相対的に前記第１方向へ移動させられることにより前記第１鍔状部と前記第２係止部との間に割り込むものであり、
前記解除部が前記第１鍔状部と前記第２係止部との間に割り込むことによって、前記第２係止部が前記第１係止部から外れる方向に弾性変形する請求項４又は５に記載の医療用コネクタ。
【請求項７】
前記第２コネクタ部は、管状の第２コネクタ本体を有し、
前記第２係止部は、
前記第２コネクタ本体の周囲において前記第２コネクタ本体の軸方向に延在し、前記第２コネクタ本体の径方向に弾性変形可能なアーム部と、
前記アーム部における前記第１方向側の端部から内向きに突出し、前記第１係止部に対して係止される爪状部と、
を有する請求項１乃至６の何れか一項に記載の医療用コネクタ。
【請求項８】
前記解除部は、前記解除操作部が前記第２コネクタ部に対して相対的に前記第１方向へ移動させられることにより、前記第１コネクタ部と前記アーム部との間に割り込むものであり、
前記解除部が前記第１コネクタ部と前記アーム部との間に割り込むことによって、前記爪状部が前記第１係止部から外れる方向に、前記アーム部が弾性変形する請求項７に記載の医療用コネクタ。
【請求項９】
前記第２コネクタ部は、前記第２コネクタ本体の軸方向における一部分において、前記第２コネクタ本体よりも径方向に膨出した第２鍔状部を有し、
前記アーム部は、前記第２鍔状部から前記第１方向へ突出している請求項７又は８に記載の医療用コネクタ。
【請求項１０】
前記係止復帰部は、前記解除操作部を前記第２コネクタ部に対して相対的に前記第２方向へ弾性的に付勢しており、その付勢力により、前記解除操作部を前記第２コネクタ部に対して相対的に前記第２方向へ移動させる請求項２に記載の医療用コネクタ。
【請求項１１】
前記係止復帰部は、前記解除操作部と一体的に設けられ、
前記係止復帰部は、前記解除操作部が前記第２コネクタ部に対して相対的に前記第１方向へ移動することにより、前記第２コネクタ部により押されて前記第２コネクタ部の径方向外方に弾性変形する弾性片であり、当該弾性片の弾性復帰力により、前記解除操作部を前記第２コネクタ部に対して相対的に前記第２方向へ付勢している請求項１０に記載の医療用コネクタ。
【請求項１２】
前記係止復帰部は、前記解除操作部と一体的に設けられ、
前記係止復帰部は、前記解除操作部が前記第２コネクタ部から前記第２方向へ脱落してしまうことを規制する脱落規制フックを有する請求項２、１０及び１１の何れか一項に記載の医療用コネクタ。
【請求項１３】
前記第２コネクタ部は、
管状の第２コネクタ本体と、
前記第２コネクタ本体の軸方向における一部分において、前記第２コネクタ本体よりも径方向に膨出した第２鍔状部と、
を有し、
前記操作部は、前記第２鍔状部よりも前記第２方向側に配置され、
前記解除部は、前記操作部から前記第１方向に突出しているとともに、前記第２鍔状部を前記第２方向側から前記第１方向側に貫通しており、
前記解除操作部が前記第２コネクタ部に対して相対的に前記第１方向及び前記第２方向に移動する際には、前記第２鍔状部により前記解除部がガイドされる請求項１乃至９の何れか一項に記載の医療用コネクタ。
【請求項１４】
前記第２コネクタ部は、管状の第２コネクタ本体を有し、
前記第２係止部は、
前記第２コネクタ本体の周囲において前記第２コネクタ本体の軸方向に延在し、前記第２コネクタ本体の径方向に弾性変形可能なアーム部と、
前記アーム部における前記第１方向側の端部から内向きに突出し、前記第１係止部に対して係止される爪状部と、
を有し、
前記第２コネクタ部は、前記第２コネクタ本体の軸方向における一部分において、前記第２コネクタ本体よりも径方向に膨出した第２鍔状部を有し、
前記アーム部は、前記第２鍔状部から前記第１方向へ突出しており、
前記係止復帰部は、前記第２鍔状部に係合しており、
前記係止復帰部は、前記第２鍔状部に係合した状態のままで、前記第２鍔状部により押されることによる前記第２コネクタ部の径方向外方への弾性変形動作と、前記第２コネクタ部の軸心側への弾性復帰動作と、を行う請求項４又は５に記載の医療用コネクタ。
【請求項１５】
前記第１係止部は、前記第１方向を向く係止面を含み、
前記第２係止部が前記係止面に係止されることによって、前記第２コネクタ部と前記第１コネクタ部とが相互に接続され、
前記係止面は、前記第１コネクタ部を軸周りに３６０°周回する形状に形成され、
前記第２係止部が前記係止面に係止された状態において、前記第２コネクタ部が前記第１コネクタ部に対して相対的に軸周りに３６０°回転可能である請求項１乃至１４の何れか一項に記載の医療用コネクタ。
【請求項１６】
前記第２コネクタ部の軸周りにおける前記第２コネクタ部の回転角度が３６０°の任意の角度の状態において、前記第２コネクタ部を前記第１コネクタ部に向けて前記第１方向へ移動させることにより、前記第２係止部が前記第１係止部に係止されて、前記第２コネクタ部と前記第１コネクタ部とが相互に連通した状態で接続される請求項１乃至１５の何れか一項に記載の医療用コネクタ。
【請求項１７】
前記第１コネクタ部と前記第２コネクタ部とが相互に接続した状態で、前記第１係止部と前記第２係止部との係止部位が外部に露出している請求項１乃至１６の何れか一項に記載の医療用コネクタ。
【請求項１８】
前記第１コネクタ部と前記第２コネクタ部とのうちの何れか一方は雄コネクタ、何れか他方は雌コネクタであり、前記第２コネクタ部と前記第１コネクタ部とが相互に接続された状態において、前記雄コネクタの一端部が前記雌コネクタの管内に入り込んだ状態となる請求項１乃至１７の何れか一項に記載の医療用コネクタ。
【請求項１９】
前記第１コネクタ部が前記雌コネクタであり、前記第２コネクタ部が前記雄コネクタである請求項１８に記載の医療用コネクタ。
【請求項２０】
液を貯留する貯留部を含む本体部と、
前記本体部に一端が接続される送液管と、
前記貯留部と前記送液管とが相互に連通するように、前記本体部と前記送液管とを相互に接続する医療用コネクタと、
を有し、
前記医療用コネクタは、
第１係止部が外周面に形成されている管状の第１コネクタ部であって、前記本体部に固定されている第１コネクタ部と、
前記第１係止部に対して係止される第２係止部を有する管状の第２コネクタ部と、
を有し、
前記第２コネクタ部を前記第１コネクタ部に向けて第１方向へ移動させることにより、前記第２係止部が前記第１係止部に係止されて、前記第２コネクタ部と前記第１コネクタ部とが相互に連通した状態で接続され、
前記医療用コネクタは、更に、
前記第１方向と、前記第１方向に対する反対方向である第２方向と、に前記第２コネクタ部に対して相対移動可能な状態で、前記第２コネクタ部に保持されている解除操作部を有し、
前記解除操作部は、
当該解除操作部を前記第２コネクタ部に対して相対的に前記第１方向へ押し込むための手動操作を受ける操作部と、
前記操作部と一体的に設けられ、前記操作部とともに前記第２コネクタ部に対して相対的に前記第１方向へ移動することにより、前記第１係止部に対する前記第２係止部の係止状態を解除する解除部と、
を有し、
前記手動操作により前記係止状態を解除させる第１操作を行い、且つ、前記係止状態が解除された状態が維持されるように前記操作部を前記第１方向へ押圧しながら前記第２コネクタ部を前記第１コネクタ部に対して相対的に前記第２方向へ移動させる第２操作を行うことにより、前記第１コネクタ部から前記第２コネクタ部が外れる医療用貯液器。
【発明の詳細な説明】
【技術分野】
【０００１】
本発明は、医療用コネクタ及び医療用貯液器に関する。
【背景技術】
【０００２】
医療用の管の接続に用いられる医療用コネクタとしては、例えば、特許文献１に記載のものがある。
【０００３】
特許文献１の医療用コネクタは、外周面に溝部（同文献の第２の溝部）が形成された第１コネクタ部（同文献の雌コネクタ）と、第１コネクタ部が挿入される筒状部を有する第２コネクタ部（同文献の雄コネクタ）と、を有している。筒状部における第１コネクタ部側の先端には、上記第２の溝部に対して係止される内向きの爪部が形成されている。爪部が第２の溝部に係止されるように、第１コネクタ部を筒状部に押し込むことにより、第１及び第２コネクタ部が相互に接続される。
【０００４】
特許文献１には、以下の第１及び第２の２つの態様が記載されている。
＜第１の態様＞
第１コネクタ部の外周面には、上記第２の溝部とは別に、２つの溝部（第３の溝部、及び第４の溝部）が形成されている。第３の溝部は、第２の溝部の奥側（第２コネクタ部とは反対側）に配置されており、第２の溝部と第３の溝部との間には凸部が存在している。第４の溝部は、第３の溝部と連続しており、軸周り方向および第２コネクタ部側に延びている。
第１及び第２コネクタ部を分離させるには、先ず、第１コネクタ部を筒状部に対して更に押し込んで、爪部を第２の溝部内から第３の溝部内へ移動させる。次に、第１コネクタ部に対して第２コネクタ部を軸回りに相対回転させながら、第２コネクタ部を第１コネクタ部から引き離す。これにより、爪部は、第３の溝部内から第４の溝部内に移動し、第４の溝部により案内されて、第１のコネクタ部から離間する方向へ移動する。これにより、第１及び第２コネクタ部が相互に分離する。
＜第２の態様＞
詳細な構成の説明は省略するが、第２の態様では、第１コネクタ部を筒状部に対して更に押し込みながら、第２コネクタ部が第１コネクタ部に対して所定の回転角度となるように第２コネクタ部を回転させて、第２コネクタ部を第１コネクタ部から引き離すことにより、第１及び第２コネクタ部が相互に分離する。
【０００５】
また、医療用貯液器としては、患者の体内から収集した液を貯留するタイプのものや、患者の体内へ送られる液を貯留するタイプのものがある。前者の例としては、胸腔ドレーンなどに用いられる医療用吸引集液器がある（特許文献２等）。医療用吸引集液器は、集めた液を貯留する貯留部を含む本体部を有している。
【先行技術文献】
【特許文献】
【０００６】
【特許文献１】特開２０１１−５６００９号公報
【特許文献２】特開２００６−１３０１７０号公報
【発明の概要】
【発明が解決しようとする課題】
【０００７】
特許文献１の技術のうち、第１の態様では、第１及び第２コネクタ部が接続された状態において、意図せず第１コネクタ部が筒状部に押し込まれて爪部が第３の溝部に入り込んでしまった場合、引き続き爪部が第４の爪部に移動し、第１及び第２コネクタ部が相互に分離してしまう可能性がある。
一方、第２の態様では、第１及び第２コネクタ部を相互に分離させるためには、上述したような複雑な操作を要する。
【０００８】
本発明は、上記の課題に鑑みなされたものであり、コネクタを外す操作が容易であり、且つ、意図せずコネクタが外れてしまう可能性を抑制することが可能な医療用コネクタ及び医療用貯液器を提供する。
【課題を解決するための手段】
【０００９】
本発明は、第１係止部が外周面に形成されている管状の第１コネクタ部と、
前記第１係止部に対して係止される第２係止部を有する管状の第２コネクタ部と、
を有し、
前記第２コネクタ部を前記第１コネクタ部に向けて第１方向へ移動させることにより、前記第２係止部が前記第１係止部に係止されて、前記第２コネクタ部と前記第１コネクタ部とが相互に連通した状態で接続される医療用コネクタであって、
前記第１方向と、前記第１方向に対する反対方向である第２方向と、に前記第２コネクタ部に対して相対移動可能な状態で、前記第２コネクタ部に保持されている解除操作部を更に有し、
前記解除操作部は、
当該解除操作部を前記第２コネクタ部に対して相対的に前記第１方向へ押し込むための手動操作を受ける操作部と、
前記操作部と一体的に設けられ、前記操作部とともに前記第２コネクタ部に対して相対的に前記第１方向へ移動することにより、前記第１係止部に対する前記第２係止部の係止状態を解除する解除部と、
を有し、
前記手動操作により前記係止状態を解除させる第１操作を行い、且つ、前記係止状態が解除された状態が維持されるように前記操作部を前記第１方向へ押圧しながら前記第２コネクタ部を前記第１コネクタ部に対して相対的に前記第２方向へ移動させる第２操作を行うことにより、前記第１コネクタ部から前記第２コネクタ部が外れる医療用コネクタを提供する。
【００１０】
この医療用コネクタによれば、第１コネクタ部から第２コネクタ部を外すためには、先ず、操作部に対する手動操作によって第１コネクタ部の第１係止部と第２コネクタ部の第２係止部との係止状態を解除させる。すなわち第１操作を行う。そして、引き続き、係止状態が解除された状態が維持されるように操作部を第１方向へ押圧しながら、第２コネクタ部を第１コネクタ部に対して相対的に第２方向へ移動させる第２操作を行う必要がある。
ここで、第１操作の方向、及び、係止状態が解除された状態を維持するための操作の方向は、第１方向であるのに対して、第２コネクタ部を第１コネクタ部から引き離す方向はその反対方向の第２方向である。このため、単純に第２コネクタ部を第１コネクタ部から引き離す方向へと何らかの力が作用するだけでは、第２コネクタ部が第１コネクタ部から外れない。また、医療用コネクタに何かがぶつかることによって第１コネクタ部から第２コネクタ部が外れてしまう可能性も低い。よって、第１コネクタ部に対する第２コネクタ部の接続信頼性が高い。
ただし、解除部を第２コネクタ部に対して相対的に第１方向に押しながら、第２コネクタ部を第１コネクタ部に対して相対的に第２方向に引っ張る操作は、直線上の操作であり、回転操作を含まない。よって、第１コネクタ部から第２コネクタ部を外す操作は、意図して行う場合には容易であり、医療用コネクタの寸法によっては片手で行うことも可能である。
このように、この医療用コネクタによれば、第１コネクタ部から第２コネクタ部を外す操作が容易であり、且つ、意図せず第１コネクタ部から第２コネクタ部が外れてしまう可能性を抑制することができる。
【００１１】
また、本発明は、液を貯留する貯留部を含む本体部と、
前記本体部に一端が接続される送液管と、
前記貯留部と前記送液管とが相互に連通するように、前記本体部と前記送液管とを相互に接続する医療用コネクタと、
を有し、
前記医療用コネクタは、
第１係止部が外周面に形成されている管状の第１コネクタ部であって、前記本体部に固定されている第１コネクタ部と、
前記第１係止部に対して係止される第２係止部を有する管状の第２コネクタ部と、
を有し、
前記第２コネクタ部を前記第１コネクタ部に向けて第１方向へ移動させることにより、前記第２係止部が前記第１係止部に係止されて、前記第２コネクタ部と前記第１コネクタ部とが相互に連通した状態で接続され、
前記医療用コネクタは、更に、
前記第１方向と、前記第１方向に対する反対方向である第２方向と、に前記第２コネクタ部に対して相対移動可能な状態で、前記第２コネクタ部に保持されている解除操作部を有し、
前記解除操作部は、
当該解除操作部を前記第２コネクタ部に対して相対的に前記第１方向へ押し込むための手動操作を受ける操作部と、
前記操作部と一体的に設けられ、前記操作部とともに前記第２コネクタ部に対して相対的に前記第１方向へ移動することにより、前記第１係止部に対する前記第２係止部の係止状態を解除する解除部と、
を有し、
前記手動操作により前記係止状態を解除させる第１操作を行い、且つ、前記係止状態が解除された状態が維持されるように前記操作部を前記第１方向へ押圧しながら前記第２コネクタ部を前記第１コネクタ部に対して相対的に前記第２方向へ移動させる第２操作を行うことにより、前記第１コネクタ部から前記第２コネクタ部が外れる医療用貯液器を提供する。
【発明の効果】
【００１２】
本発明によれば、コネクタを外す操作が容易であり、且つ、意図せずコネクタが外れてしまう可能性を抑制することができる。
【図面の簡単な説明】
【００１３】
【図１】実施形態に係る医療用コネクタの斜視図であり、このうち図１（ａ）は分離状態を示し、図１（ｂ）は接続状態を示す。
【図２】実施形態に係る医療用コネクタの接続状態を示す正面図である。
【図３】実施形態に係る医療用コネクタの分離動作を説明するための一連の正面図である。
【図４】実施形態に係る医療用コネクタの接続状態を示す側面図（図２の矢印Ｃ方向から見た図）である。
【図５】実施形態に係る医療用コネクタの係止復帰部を説明するための図である。
【図６】実施形態に係る医療用貯液器の正面図である。
【図７】変形例１に係る医療用コネクタの正面断面図であり、このうち（ａ）は分離状態を示し、（ｂ）は接続状態を示す。
【図８】変形例１に係る医療用コネクタのアーム部の形状を示す図であり、このうち図８（ａ）は正面図、図８（ｂ）は図８（ａ）のＩ−Ｉ断面図である。
【図９】変形例３に係る医療用コネクタの解除規制部材を示す図である。
【発明を実施するための形態】
【００１４】
以下、本発明の実施形態について、図面を用いて説明する。なお、すべての図面において、同様の構成要素には同一の符号を付し、適宜に説明を省略する。
【００１５】
図１は実施形態に係る医療用コネクタ１００の斜視図である。このうち図１（ａ）は第１コネクタ部１０と第２コネクタ部２０とが分離した分離状態を示し、図１（ｂ）は第１コネクタ部１０と第２コネクタ部２０とが接続した接続状態を示す。
図２は医療用コネクタ１００の接続状態を示す正面図である。
図３は医療用コネクタ１００の第１コネクタ部１０と第２コネクタ部２０とを相互に分離させる分離動作を説明するための一連の正面図である。このうち図３（ａ）は、解除操作部３０を操作することによって、係止面１４ｃに対する爪状部２６ｂの係止状態を解除した状態を示す。図３（ｂ）は、第２コネクタ部２０を第１コネクタ部１０から引き抜いて第２コネクタ部２０と第１コネクタ部１０とを相互に分離させた状態を示す。図３（ｃ）は、図３（ｂ）の状態よりも更に第２コネクタ部２０を第１コネクタ部１０から離した状態を示す。
図４は医療用コネクタ１００の接続状態を示す側面図（図２の矢印Ｃ方向から見た図）である。
図５は医療用コネクタ１００の係止復帰部３３を説明するための図である。図５（ａ）、図５（ｂ）及び図５（ｃ）は、第２コネクタ部２０の軸中心に沿った断面図である。このうち図５（ａ）及び図５（ｂ）には、第２コネクタ部２０の一部分（第２鍔状部２４）と、係止復帰部３３とを示しており、図５（ｃ）には係止復帰部３３のみを示している。
【００１６】
本実施形態に係る医療用コネクタ１００は、第１コネクタ部１０と、第２コネクタ部２０と、解除操作部３０と、を有する。第１コネクタ部１０は、管状のものである。第１コネクタ部１０の外周面には、第１係止部（例えば、係止面１４ｃと係止溝１２とを含んで構成されている）が形成されている。第２コネクタ部２０は、管状のものである。第２コネクタ部２０は、第１係止部に対して係止される第２係止部（係止部２６）を有する。第２コネクタ部２０を第１コネクタ部１０に向けて第１方向（図１（ａ）の矢印Ａ方向）へ移動させることにより、第２係止部が第１係止部に係止されて、第２コネクタ部２０と第１コネクタ部１０とが相互に連通した状態で接続される。解除操作部３０は、第１方向と、第１方向に対する反対方向である第２方向（図３（ｂ）、図３（ｃ）の矢印Ｂ方向）と、に第２コネクタ部２０に対して相対移動可能な状態で、第２コネクタ部２０に保持されている。解除操作部３０は、操作部３１と、解除部３２と、を有している。操作部３１は、解除操作部３０を第２コネクタ部２０に対して相対的に第１方向へ押し込むための手動操作を受ける。解除部３２は、操作部３１と一体的に設けられている。解除部３２は、操作部３１とともに第２コネクタ部２０に対して相対的に第１方向へ移動することにより、第１係止部に対する第２係止部の係止状態を解除する。手動操作によって第１係止部に対する第２係止部の係止状態を解除させる第１操作を行い、且つ、当該係止状態が解除された状態が維持されるように操作部３１を第１方向へ押圧しながら第２コネクタ部２０を第１コネクタ部１０に対して相対的に第２方向へ移動させる第２操作を行うことにより、第１コネクタ部１０から第２コネクタ部２０が外れるように、医療用コネクタ１００は構成されている。
【００１７】
医療用コネクタ１００を接続状態にしたり分離状態にしたりするオペレーションの際、及び、接続状態では、図１乃至図４に示すように、第１コネクタ部１０と第２コネクタ部２０とが同軸上に配置される。以下の説明においては、第１コネクタ部１０と第２コネクタ部２０との相対的な配置が図１乃至図４に示す配置となっていることを前提として、医療用コネクタ１００の各部の配置や形状を説明する。
【００１８】
＜第１コネクタ部の構成＞
図１乃至図４に示すように、第１コネクタ部１０は、管状（筒状）の第１コネクタ本体１１を有している。第１コネクタ本体１１は、例えば、その一端１６側から他端１７側に亘り、一定の内径に設定されている。他端１７は、第１コネクタ部１０における第１方向側の端部であり、一端１６は、第１コネクタ部１０における第２方向側の端部である。第１コネクタ本体１１は、例えば、その一端１６側から他端１７側に亘って一定の外径に設定されている。ただし、第１コネクタ本体１１の外周面には、以下に説明する第１鍔状部１４と鍔状部１５とが第１コネクタ本体１１と一体的に形成されている。
【００１９】
第１鍔状部１４は、第１コネクタ本体１１の軸方向における一部分において、第１コネクタ本体１１よりも径方向に膨出している。同様に、鍔状部１５は、第１コネクタ本体１１の軸方向における一部分において、第１コネクタ本体１１よりも径方向に膨出している。すなわち第１鍔状部１４及び鍔状部１５は、第１コネクタ本体１１よりも大径に形成されている。第１鍔状部１４と鍔状部１５とは、第１コネクタ本体１１の軸方向において相互に離間している。第１鍔状部１４と鍔状部１５とのうち、第１鍔状部１４は一端１６側に位置し、鍔状部１５は他端１７側に位置している。第１鍔状部１４は、第１コネクタ本体１１の軸方向において、一端１６から離間している。また、鍔状部１５は、第１コネクタ本体１１の軸方向において、他端１７から離間している。
【００２０】
第１鍔状部１４は、第１コネクタ本体１１の軸方向において相互に隣接するテーパー状部１４ａと頂部１４ｂとを有している。テーパー状部１４ａは、一端１６側すなわち第２方向側に位置し、頂部１４ｂは、他端１７側すなわち第１方向側に位置している。
【００２１】
テーパー状部１４ａは、一端１６側から他端１７側に向けてテーパー状に拡径している。従って、テーパー状部１４ａの外周面は、一端１６側から他端１７側に向けて、第１コネクタ本体１１の軸心から遠ざかるように傾斜している。すなわち、第１鍔状部１４の外周面は、第１方向に向けて徐々に第１コネクタ本体１１の軸心から遠ざかるように傾斜している第１傾斜面を含む。
【００２２】
頂部１４ｂは、円筒状に形成されている。すなわち、頂部１４ｂの外周面は、第１コネクタ本体１１の軸心からの距離が一定である。
【００２３】
第１コネクタ本体１１の軸心から頂部１４ｂの外周面までの距離は、第１コネクタ本体１１の軸心からテーパー状部１４ａの外周面までの距離の最大値と等しくなっており、テーパー状部１４ａの外周面と頂部１４ｂの外周面とは相互に連続的に形成されている。
【００２４】
第１鍔状部１４における他端１７側（第１方向側）の端面は、他端１７側を向く（第１方向を向く）係止面１４ｃとなっている。係止面１４ｃは、第１方向を向く段差面であり、第１コネクタ本体１１の軸心方向に対して直交している。
【００２５】
第１鍔状部１４は、第１コネクタ本体１１の周囲全周に亘って形成されている（第１コネクタ本体１１を３６０°周回する形状に形成されている）。従って、係止面１４ｃは、第１コネクタ部１０を軸周りに３６０°周回する形状に形成されている。
【００２６】
第１鍔状部１４は、第１コネクタ本体１１と同軸に配置されている。
【００２７】
鍔状部１５は、円筒状に形成され、且つ、第１コネクタ本体１１と同軸に配置されている。鍔状部１５の外周面は、第１コネクタ本体１１の軸心からの距離が一定である。例えば、鍔状部１５の外径は、頂部１４ｂの外径よりも大きい。
【００２８】
第１コネクタ本体１１の外周面における第１鍔状部１４と鍔状部１５との間の部分は、第１コネクタ本体１１の周方向に延在する溝状の係止溝１２となっている。係止溝１２は、係止面１４ｃとともに第１係止部を構成する。係止溝１２は、第１コネクタ本体１１の外周面を、第１コネクタ本体１１の中心軸周りに３６０°周回する形状に形成されている。
【００２９】
＜第２コネクタ部の構成＞
第２コネクタ部２０は、管状（筒状）の第２コネクタ本体２１と、第２鍔状部２４と、係止部（第２係止部）２６と、Ｏリング２９（図３（ｃ））と、を有している。
【００３０】
第２コネクタ本体２１は、例えば、その一端２７側から他端２８側に亘り、一定の内径に設定されている。一端２７は、第２コネクタ部２０における第１方向側の端部であり、他端２８は、第２コネクタ部２０における第２方向側の端部である。
【００３１】
第２コネクタ本体２１は、第１挿入部２２と、管固定部２３と、第２挿入部２５と、を有している。
【００３２】
第１挿入部２２は、第２コネクタ本体２１における一端２７側（第１方向側）の部分を構成している。第１挿入部２２の外径は、第１コネクタ部１０の第１コネクタ本体１１の内径よりも若干小さく設定されている。接続状態において、第１挿入部２２は、第１コネクタ本体１１内に挿入される。
すなわち、第１コネクタ部１０と第２コネクタ部２０とのうちの何れか一方は雄コネクタ、何れか他方は雌コネクタであり、接続状態において、雄コネクタの一端部が雌コネクタの管内に入り込んだ状態となる。本実施形態の場合、第１コネクタ部１０が雌コネクタ、第２コネクタ部２０が雄コネクタであり、接続状態において、第１挿入部２２が第１コネクタ本体１１内に入り込んだ状態となる。
【００３３】
第１挿入部２２の外周面には、当該外周面を第２コネクタ本体２１の中心軸周りに３６０°周回するＯリング固定溝２２ａが形成されている。Ｏリング固定溝２２ａにＯリング２９が嵌め込まれることによって、Ｏリング２９が第１挿入部２２の周囲に固定されている。なお、図１（ａ）では、Ｏリング２９の図示を省略し、Ｏリング固定溝２２ａを見せている。接続状態において、Ｏリング２９は圧縮状態となって第１コネクタ本体１１の内周面とＯリング固定溝２２ａとに密着する。
【００３４】
第２鍔状部２４は、第１挿入部２２に対して他端２８側（第２方向側）に隣接している。第２挿入部２５は、第２鍔状部２４に対して他端２８側に隣接している。管固定部２３は、第２挿入部２５に対して他端２８側に隣接している。
【００３５】
管固定部２３は、第２コネクタ本体２１における他端２８側の部分を構成している。管固定部２３が集液管１５５（図６）又は吸引管１５７（図６）の一端部に挿入されることによって、集液管１５５又は吸引管１５７の一端部が管固定部２３に固定され、且つ、第２コネクタ本体２１と集液管１５５又は吸引管１５７とが相互に連通する。
【００３６】
管固定部２３の外周面には、当該外周面を第２コネクタ本体２１の中心軸周りに３６０°周回して形成された管固定フック部２３ａが形成されている。管固定フック部２３ａが集液管１５５又は吸引管１５７の内周面に食い込むことによって、集液管１５５又は吸引管１５７が管固定部２３から抜け止めされる。
【００３７】
第２鍔状部２４は、第２コネクタ本体２１の軸方向における一部分において、第２コネクタ本体２１よりも径方向に膨出している。すなわち、第２鍔状部２４は、第２コネクタ本体２１よりも大径に形成されている。第２鍔状部２４は、第１鍔状部１４よりも大径に形成されている。第２鍔状部２４は、例えば、円盤状（円筒状）に形成されている。
【００３８】
係止部２６は、例えば、アーム部２６ａと、爪状部２６ｂと、を有している。
【００３９】
アーム部２６ａは、第２コネクタ本体２１の周囲において第２コネクタ本体２１の軸方向に延在する棒状の部分である。アーム部２６ａは、第２鍔状部２４によって片持ち梁式に保持されている。すなわち、アーム部２６ａは、第２鍔状部２４から一端２７側に向けて（第１方向へ）突出している。アーム部２６ａは、第２コネクタ本体２１の径方向に弾性変形可能である。
【００４０】
爪状部２６ｂは、アーム部２６ａにおける一端２７側すなわち第１方向側の端部から内向き（第２コネクタ本体２１の中心軸向き）に突出している。
【００４１】
爪状部２６ｂが係止面１４ｃ及び係止溝１２に対して係止されることにより、第２コネクタ部２０と第１コネクタ部１０とが相互に接続される（図２）。
より具体的には、第２コネクタ部２０を第１コネクタ部１０に対して相対的に第１方向へ移動させることにより、係止部２６のアーム部２６ａが第１コネクタ本体１１の径方向に弾性変形しながら、係止部２６の爪状部２６ｂが第１傾斜面（テーパー状部１４ａの外周面）を乗り越えて、爪状部２６ｂが係止面１４ｃ及び係止溝１２に係止される。
【００４２】
例えば、第２コネクタ部２０は、複数の係止部２６を有している。より具体的には、例えば、第２コネクタ部２０は、一対の係止部２６を、第２コネクタ部２０の周方向において互いに１８０度間隔の配置で有している。
【００４３】
第２鍔状部２４には、ガイド孔２４ａと、係合溝２４ｂと、が形成されている。
【００４４】
ガイド孔２４ａは、各アーム部２６ａの基端の近傍位置において、第２鍔状部２４を第２コネクタ本体２１の軸心方向に（第２方向側から第１方向側に）貫通している。ガイド孔２４ａは、各アーム部２６ａの基端よりも、第２コネクタ部２０の中心軸側に位置している。
ガイド孔２４ａには、解除操作部３０の解除部３２（後述）が挿通されており、解除部３２は、第２鍔状部２４を第２方向側から第１方向側に貫通している。
【００４５】
係合溝２４ｂは、第２鍔状部２４の外周面から第２コネクタ部２０の中心軸側に向けて窪んでいる。係合溝２４ｂは、第２コネクタ本体２１の軸心に沿って、第２鍔状部２４における第２方向側の端部から第１方向側の端部に亘って延在している。係合溝２４ｂには、解除操作部３０の係止復帰部３３が係合している。
例えば、ガイド孔２４ａと係合溝２４ｂとは、第２コネクタ部２０の周方向において、９０度間隔で交互に配置されている。
【００４６】
第２コネクタ本体２１の径方向における第２挿入部２５の寸法は、同方向における第２鍔状部２４の寸法よりも小さく、且つ、同方向における管固定部２３の寸法よりも大きい。第２挿入部２５は、解除操作部３０の後述する操作部３１の挿入孔３１ａに挿入されている。
【００４７】
＜解除操作部の構成＞
解除操作部３０は、操作部３１と、解除部３２と、を有している。操作部３１及び解除部３２は相互に一体的に設けられている。
【００４８】
操作部３１は、解除操作部３０を第２コネクタ部２０に対して相対的に第１方向へ押し込むための手動操作を受けるものである。操作部３１は、第２鍔状部２４よりも第２方向側に配置されている。
【００４９】
具体的には、例えば、操作部３１は、円盤状に形成され、その板面が第１方向及び第２方向を向いている。操作部３１の中央には、第２挿入部２５が挿入される挿入孔３１ａが形成されている。
【００５０】
解除部３２は、操作部３１とともに第２コネクタ部２０に対して相対的に第１方向へ移動することにより、係止面１４ｃ及び係止溝１２に対する爪状部２６ｂの係止状態を解除する。
【００５１】
例えば、解除部３２は、解除操作部３０が第２コネクタ部２０に対して相対的に第１方向へ移動させられることにより第１コネクタ部１０と係止部２６との間に割り込む（図３（ａ））。解除部３２が第１コネクタ部１０と係止部２６との間に割り込むことによって、係止部２６が係止面１４ｃ及び係止溝１２から外れる方向に弾性変形する。
例えば、解除部３２は、解除操作部３０が第２コネクタ部２０に対して相対的に第１方向へ移動させられることにより第１鍔状部１４と係止部２６との間に割り込む（図３（ａ））。解除部３２が第１鍔状部１４と係止部２６との間に割り込むことによって、係止部２６は、係止面１４ｃ及び係止溝１２から外れる方向に弾性変形する。
例えば、解除部３２は、解除操作部３０が第２コネクタ部２０に対して相対的に第１方向へ移動させられることにより第１コネクタ部１０とアーム部２６ａとの間に割り込む（図３（ａ））。解除部３２が第１コネクタ部１０とアーム部２６ａとの間に割り込むことによって、爪状部２６ｂが係止面１４ｃ及び係止溝１２から外れる方向に、アーム部２６ａが弾性変形する。
【００５２】
解除部３２は、操作部３１から第１方向に突出した棒状の弾性片である。解除部３２は、第２鍔状部２４のガイド孔２４ａに挿通されることにより、第２鍔状部２４を第２方向側から第１方向側に貫通している。これにより、解除操作部３０は、第２コネクタ部２０に対して第１方向及び第２方向に相対移動可能な状態で、第２コネクタ部２０に保持されている。
【００５３】
第２コネクタ部２０の径方向における解除部３２の肉厚は、第２コネクタ部２０の径方向における爪状部２６ｂの突出長（アーム部２６ａからの爪状部２６ｂの突出長）と同等であるか、又は、同等以上となっている。
【００５４】
解除操作部３０は、係止部２６と同数の解除部３２を有している。つまり、本実施形態の場合、解除操作部３０は、一対の解除部３２を有している。一対の解除部３２は、第２コネクタ部２０の周方向において互いに１８０度間隔で配置されている。
第２コネクタ部２０の径方向において、解除部３２どうしの間隔は、第１コネクタ本体１１の外径と同じかそれよりも若干大きい間隔に設定されている。
【００５５】
解除部３２において、第２鍔状部２４よりも第１方向側に突出している部分は、第１挿入部２２と、当該解除部３２に対応する係止部２６のアーム部２６ａと、の間に配置されているとともに、当該アーム部２６ａにおける内側（第２コネクタ部２０の中心軸側）の面に沿って延在している。
【００５６】
解除操作部３０が第２コネクタ部２０に対して相対的に第１方向及び第２方向に移動する際には、第２鍔状部２４のガイド孔２４ａにより解除部３２が第１方向及び第２方向にガイドされる。なお、ガイド孔２４ａは、解除部３２が第２コネクタ部２０の径方向に弾性変形することを許容する寸法及び形状に形成されている。
【００５７】
また、解除操作部３０が第２コネクタ部２０に対して相対的に第１方向及び第２方向に移動する際、第２挿入部２５は挿入孔３１ａに挿入された状態で、操作部３１に対して相対的に第１方向及び第２方向に移動する。その際、第２挿入部２５が挿入孔３１ａによりガイドされるようになっていても良いし、ガイドされなくても良い。解除部３２が第２鍔状部２４に挿通されているだけでなく、第２挿入部２５が操作部３１に挿入されていることにより、解除操作部３０がより確実に第２コネクタ部２０によって保持されている。
【００５８】
＜係止復帰部の構成＞
係止復帰部３３は、解除操作部３０を第２コネクタ部２０に対して相対的に第２方向へ弾性的に付勢しており、その付勢力により、解除操作部３０を第２コネクタ部２０に対して相対的に第２方向へ移動させることが可能である。
【００５９】
図５（ａ）及び（ｂ）に示すように、係止復帰部３３は、解除操作部３０と一体的に設けられている。係止復帰部３３は、操作部３１によって片持ち梁式に保持されており、操作部３１から第１方向側へ突出している。更に、係止復帰部３３は、第２鍔状部２４の係合溝２４ｂに係合している。
【００６０】
係止復帰部３３は、解除操作部３０が第２コネクタ部２０に対して相対的に第１方向へ移動することにより、第２コネクタ部２０により押されて第２コネクタ部２０の径方向外方（図５（ｂ）の矢印Ｄ方向）に弾性変形する弾性片（板バネ）である。
すなわち、解除操作部３０が第２コネクタ部２０に対して相対的に第１方向へ移動することにより、係止復帰部３３は、第２鍔状部２４の係合溝２４ｂの底面（第２コネクタ部２０の中心軸側の面）により押されて、第２コネクタ部２０の径方向外方に弾性変形する（図５（ｂ））。
【００６１】
係止復帰部３３は、その弾性復帰力（図５（ｃ）の矢印Ｅ方向に弾性復帰しようとする力）の分力により、解除操作部３０を第２コネクタ部２０に対して相対的に第２方向へ付勢している。
【００６２】
係止復帰部３３は、係合溝２４ｂに係合した状態のままで、第２鍔状部２４により押されることによる第２コネクタ部２０の径方向外方への弾性変形動作と、第２コネクタ部２０の軸心側への弾性復帰動作と、を行う。
【００６３】
ここで、係合溝２４ｂの底面（第２コネクタ部２０の中心軸側の面）は、第１方向に向けて、第２コネクタ部２０の中心から遠ざかるように傾斜している。これにより、図５（ｂ）に示すような係止復帰部３３の変形を容易に行うことができるとともに、係止復帰部３３の弾性復帰力による解除操作部３０の付勢を容易に行うことができる。
【００６４】
また、係止復帰部３３において係合溝２４ｂの底面に接触する面の、第１方向側の端部は、第１方向に向けて第２コネクタ部２０の中心から遠ざかるように傾斜した傾斜面３３ａとなっている。
これにより、図５（ａ）に示すように、解除操作部３０を第１方向に移動させる前の段階では、係止復帰部３３の弾性復帰力による解除操作部３０の付勢動作が生じないようになっている。
【００６５】
医療用コネクタ１００は、例えば、複数の係止復帰部３３を有している。具体的には、例えば、医療用コネクタ１００は、一対の係止復帰部３３を有している。一対の係止復帰部３３は、第２コネクタ部２０の周方向において互いに１８０度間隔で配置されている。
なお、係止復帰部３３と解除部３２とは、第２コネクタ部２０の周方向において、９０度間隔で交互に配置されている。
【００６６】
係止復帰部３３における第１方向側の端部には、解除操作部３０が第２コネクタ部２０から第２方向へ脱落してしまうことを規制する脱落規制フック３４が形成されている。脱落規制フック３４は、係止復帰部３３における第１方向側の端部から内向き（第２コネクタ部２０の中心軸側に向けて）に突出している。脱落規制フック３４は、傾斜面３３ａに対して第１方向側に隣接している。
【００６７】
なお、第１コネクタ部１０、第２コネクタ部２０、解除操作部３０及び係止復帰部３３は、例えば、合成樹脂により構成することができる。これらの材料は互いに同一でも良いし、互いに異なっていても良い。例えば、第２コネクタ部２０は、ポリプロピレンなどにより構成することができる。また、第１コネクタ部１０、解除操作部３０及び係止復帰部３３は、ＡＢＳ（Acrylonitrile-Butadiene-Styrene）樹脂又はＡＳ（Acrylonitrile-Styrene）などの硬質の剛性樹脂であることが好ましい例である。
【００６８】
次に、動作を説明する。
【００６９】
先ず、医療用コネクタ１００を接続状態にする操作を説明する。
【００７０】
例えば、図１に示すように、第１コネクタ部１０と第２コネクタ部２０とを同軸上に配置した状態で、第２コネクタ部２０を第１コネクタ部１０に向けて第１方向へ移動させる。そして、第１挿入部２２を第１コネクタ部１０内に挿入する。第２コネクタ部２０を第１コネクタ部１０に対して相対的に第１方向へ更に移動させることにより、係止部２６が係止面１４ｃ及び係止溝１２に対して係止される。
このとき、先ず、爪状部２６ｂは、テーパー状部１４ａの外周面に乗り上げた後、頂部１４ｂに乗り上げる。その際、爪状部２６ｂがテーパー状部１４ａにより徐々に第１コネクタ本体１１の径方向外方に押されるため、アーム部２６ａは第１コネクタ本体１１の径方向外方に徐々に弾性変形する。その後、更に第２コネクタ部２０を第１コネクタ部１０に対して相対的に第１方向へ移動させることにより、爪状部２６ｂは、第１鍔状部１４を乗り越える。すると、アーム部２６ａの先端部が第１コネクタ本体１１の径方向内方に弾性変形（弾性復帰）するとともに、爪状部２６ｂが係止面１４ｃ及び係止溝１２に対して係止される（図１（ｂ）、図２）。
こうして、医療用コネクタ１００が接続状態となる。
【００７１】
上記のように、係止面１４ｃ及び係止溝１２は、第１コネクタ部１０を軸周りに３６０°周回する形状に形成されている。また、第１コネクタ本体１１は一定の外径に形成されているとともに、第１鍔状部１４は、第１コネクタ本体１１と同軸に配置されている。よって、第２コネクタ部２０の軸周りにおける第２コネクタ部２０の回転角度が３６０°の任意の角度の状態において、第２コネクタ部２０を第１コネクタ部１０に向けて第１方向へ移動させることにより、爪状部２６ｂが係止面１４ｃ及び係止溝１２に係止されて、接続状態となる。つまり、第２コネクタ部２０を第１コネクタ部１０に接続する際、軸周り方向において、第２コネクタ部２０と第１コネクタ部１０との相対的な角度を問わない。
【００７２】
また、上記のように、係止面１４ｃ及び係止溝１２は、第１コネクタ部１０を軸周りに３６０°周回する形状に形成されているため、爪状部２６ｂが係止面１４ｃ及び係止溝１２に係止された状態において、つまり接続状態において、第２コネクタ部２０が第１コネクタ部１０に対して相対的に軸周りに３６０°回転可能である。なお、第２コネクタ部２０が第１コネクタ部１０に対して回転する際、解除部３２は第１コネクタ本体１１の外周面に沿ってスムーズに移動することができる。
【００７３】
接続状態では、解除部３２において第２鍔状部２４よりも第１方向側に突出している部分は、第１コネクタ本体１１の外周面と係止部２６との間に位置しており、且つ、解除部３２における第１方向側の先端部は、第１鍔状部１４の頂部１４ｂには乗り上げていない（図２）。
また、接続状態では、第１コネクタ本体１１の一端１６が、第２鍔状部２４における第１方向側の端面に突き当たるか、又は、一端１６が当該端面に近接した状態となる。
【００７４】
次に、医療用コネクタ１００を分離状態にする操作を説明する。
【００７５】
先ず、操作部３１を手指で第１方向に押圧することにより、解除操作部３０を第２コネクタ部２０に対して相対的に第１方向に移動させる。これにより、図３（ａ）に示すように、解除部３２における第１方向側の先端が第１鍔状部１４の頂部１４ｂに乗り上げるとともに、該解除部３２が頂部１４ｂとアーム部２６ａとの間に割り込む。これにより、アーム部２６ａが解除部３２によって第１コネクタ部１０の径方向外方に押されて、アーム部２６ａの先端側が第１コネクタ部１０の径方向外方に弾性変形し、爪状部２６ｂが係止面１４ｃ及び係止溝１２から外れる。すなわち、第１操作を行うことにより、係止面１４ｃ及び係止溝１２に対する爪状部２６ｂの係止状態が解除される。
【００７６】
引き続き、図３（ｂ）に示すように、係止状態が解除された状態が維持されるように操作部３１を第１方向へ押圧しながら、第２コネクタ部２０を第１コネクタ部１０に対して相対的に第２方向へ移動させる第２操作を行う。これにより、第１コネクタ部１０から第２コネクタ部２０が外れる。
【００７７】
引き続き、図３（ｃ）に示すように、第２コネクタ部２０を第１コネクタ部１０に対して相対的に第２方向へ更に移動させることにより、第１挿入部２２を第１コネクタ部１０から引き抜き、第１コネクタ部１０から第２コネクタ部２０を分離することができる。
【００７８】
次に、第１操作の後、第２操作を行う前に、第１方向への操作部３１の押圧操作を止めた場合の動作を説明する。
【００７９】
この場合、係止復帰部３３の作用により、解除操作部３０が第２コネクタ部２０に対して相対的に第２方向へ移動する。これにより、解除部３２が第１鍔状部１４の頂部１４ｂとアーム部２６ａとの間から第２方向側に抜き取られ、爪状部２６ｂが係止面１４ｃ及び係止溝１２に対する係止状態に復帰する（図２）。
【００８０】
次に、実施形態に係る医療用貯液器の一例としての医療用吸引集液器について説明する。図６は本実施形態に係る医療用吸引集液器１５０の正面図である。
【００８１】
医療用吸引集液器１５０は、液を貯留する貯留部１５１を含む本体部１５０ａと、本体部１５０ａに一端が接続される送液管（例えば集液管１５５）と、貯留部１５１と送液管とが相互に連通するように本体部１５０ａと送液管とを相互に接続する医療用コネクタ１００と、を有する。医療用コネクタ１００の構成は、上述したとおりである。
以下、詳細に説明する。
【００８２】
本体部１５０ａは、貯留部１５１の他に、ウォータートラップ部（水封部）１５２と、吸引圧調整部１５３と、を有している。ウォータートラップ部１５２と吸引圧調整部１５３には、それぞれ、予め液体が貯留されている。
【００８３】
例えば、本体部１５０ａの上端部における複数箇所には、それぞれ集液管接続部が設けられ、各集液管接続部には、それぞれ、医療用コネクタ１００の第１コネクタ部１０の他端１７（図１（ａ））が固定されている。
【００８４】
例えば、このうち１つの第１コネクタ部１０には、第２コネクタ部２０が接続されている。更に、この第２コネクタ部２０には、集液管１５５の一端が接続されている。すなわち、第２コネクタ部２０の管固定部２３が集液管１５５の一端部に挿入されることにより、第２コネクタ部２０に集液管１５５が接続されている。これにより、集液管１５５と貯留部１５１とが、医療用コネクタ１００を介して相互に連通している。
【００８５】
なお、その他の第１コネクタ部１０には、例えば、栓１５９が設けられている。必要に応じて、栓１５９を第１コネクタ部１０から取り外した後、第１コネクタ部１０に対して追加で第２コネクタ部２０及び集液管１５５を接続できるようになっている。
【００８６】
更に、本体部１５０ａの上端部には、吸引管接続部が形成されている。吸引管接続部には、逆流防止弁が設けられている場合と、設けられていない場合とがある。吸引管接続部に逆流防止弁が設けられていない場合、吸引管接続部に医療用コネクタ１００の第１コネクタ部１０の他端１７（図１（ａ））を固定した構造とすることができる。この場合、第１コネクタ部１０には、第２コネクタ部２０が接続され、更にこの第２コネクタ部２０には、吸引管１５７の一端部が接続される。これにより、吸引管１５７は、医療用コネクタ１００を介して、ウォータートラップ部１５２及び吸引圧調整部１５３と相互に連通する。
ここで、吸引管接続部の医療用コネクタ１００と、集液管接続部の医療用コネクタ１００とが互いに同じものであると、誤接続の原因となる可能性がある。そこで、吸引管接続部と集液管接続部とで、医療用コネクタ１００の径寸法を互いに異ならせることが挙げられる。これにより、誤接続の発生を防止することができる。図６に示す例では、吸引管接続部の医療用コネクタ１００の径寸法を、集液管接続部の医療用コネクタ１００の径寸法よりも小さく設定している。
或いは、吸引管接続部の医療用コネクタ１００と、集液管接続部の医療用コネクタ１００とで、雄と雌を逆（後述する変形例１参照）にすることによっても、誤接続を防止することができる。すなわち、吸引管接続部の医療用コネクタ１００と集液管接続部の医療用コネクタ１００とのうち何れか一方を、本実施形態のものとし、何れか他方を後述する変形例１のものとすることにより、誤接続を防止できる。
【００８７】
集液管１５５の他端は患者側（例えば、肺）に導かれる。吸引管１５７の他端は、吸引ポンプ（図示略）に接続される。
医療用吸引集液器１５０の使用時には、吸引ポンプによって、本体部１５０ａ内が吸引される。これにより、先ず、集液管１５５を介して本体部１５０ａ内に液体（体液等）が集液される。この液体は、貯留部１５１に貯留される。
ここで、吸引ポンプによる吸引によって、気体は、集液管１５５から、本体部１５０ａ内のウォータートラップ部１５２と吸引管１５７とを順に経由して、吸引ポンプ側へ至る。
【００８８】
貯留部１５１内の液を棄てる際には、本体部１５０ａの上端部に設けられた排液口１５８の栓１６０を外し、本体部１５０ａを逆さまにすることによって、液を排液口１５８から本体部１５０ａ外に流出させる。
【００８９】
ここで、集液管１５５及び吸引管１５７が本体部１５０ａに接続されたままで、本体部１５０ａを逆さまにすると、本体部１５０ａ内の液が集液管１５５及び吸引管１５７に流れ込むため、排液作業が困難である。
【００９０】
そこで、本実施形態では、集液側及び吸引側の各医療用コネクタ１００をそれぞれ分離状態とし、更に、各医療用コネクタ１００の第１コネクタ部１０に栓１５９を取り付けた状態で、本体部１５０ａ内の液を棄てる。これにより、液が集液管１５５及び吸引管１５７に流れ込むことがなく、排液作業を容易に行うことができる。
【００９１】
なお、医療用吸引集液器１５０は、本体部１５０ａの上端部に設けられた手提げ用の取手部１７０を有している。取手部１７０を手で持って容易に医療用吸引集液器１５０を持ち運ぶことができるようになっている。
また、医療用吸引集液器１５０は、本体部１５０ａの上端部に設けられた吊下げフック１８０を有している。吊下げフック１８０をベッドなどに係止することによって、医療用吸引集液器１５０をベッドなどに直接吊り下げることができるようになっている。
【００９２】
以上のような実施形態によれば、第１コネクタ部１０から第２コネクタ部２０を外すためには、先ず、操作部３１に対する手動操作によって第１コネクタ部１０の係止面１４ｃ及び係止溝１２と第２コネクタ部２０の爪状部２６ｂとの係止状態を解除させる。すなわち第１操作を行う。そして、引き続き、係止状態が解除された状態が維持されるように操作部３１を第１方向へ押圧しながら、第２コネクタ部２０を第１コネクタ部１０に対して相対的に第２方向へ移動させる第２操作を行う必要がある。
ここで、第１操作の方向、及び、係止状態が解除された状態を維持するための操作の方向は、第１方向であるのに対して、第２コネクタ部２０を第１コネクタ部１０から引き離す方向はその反対方向の第２方向である。このため、単純に第２コネクタ部２０を第１コネクタ部１０から引き離す方向へと何らかの力が作用するだけでは、第２コネクタ部２０が第１コネクタ部１０から外れない。また、医療用コネクタ１００に何かがぶつかることによって第１コネクタ部１０から第２コネクタ部２０が外れてしまう可能性も低い。よって、第１コネクタ部１０に対する第２コネクタ部２０の接続信頼性が高い。
ただし、解除部３２を第２コネクタ部２０に対して相対的に第１方向に押しながら、第２コネクタ部２０を第１コネクタ部１０に対して相対的に第２方向に引っ張る操作は、直線上の操作であり、回転操作を含まない。よって、第１コネクタ部１０から第２コネクタ部２０を外す操作は、意図して行う場合には容易であり、医療用コネクタ１００の寸法によっては片手で行うことも可能である。
要するに、医療用コネクタ１００によれば、第１コネクタ部１０から第２コネクタ部２０を外す操作が容易であり、且つ、意図せず第１コネクタ部１０から第２コネクタ部２０が外れてしまう可能性を抑制することができる。
【００９３】
係止面１４ｃ及び係止溝１２は、第１コネクタ部１０を軸周りに３６０°周回する形状に形成されているので、第２コネクタ部２０を第１コネクタ部１０に接続する際に、係止部２６の位置は第２コネクタ部２０の軸周り方向における向きを気にする必要がない。よって、第２コネクタ部２０を第１コネクタ部１０に対して容易に接続することができる。なお、特許文献１の技術では、接続する際も、外す際も、雌コネクタに対する雄コネクタの回転角度を特定の回転角度に設定する必要がある。
【００９４】
係止面１４ｃ及び係止溝１２は、第１コネクタ部１０を軸周りに３６０°周回する形状に形成されているので、第２コネクタ部２０が第１コネクタ部１０に接続された状態において、第２コネクタ部２０と第１コネクタ部１０とが相互に軸周りに自在に回転することができる。よって、例えば、上記のような医療用吸引集液器１５０に医療用コネクタ１００を適用した場合において、本体部１５０ａを基準とした患者の位置が変化する際に、患者の位置の移動に伴い、第２コネクタ部２０が第１コネクタ部１０に対して容易に回転できるため、集液管１５５のねじれ等の不具合の発生を抑制することができる。
【００９５】
また、本実施形態では、医療用コネクタ１００は、第１コネクタ部１０、第２コネクタ部２０及び解除操作部３０（解除操作部３０には係止復帰部３３が一体となっている）の僅か３つの部品（Ｏリング２９をあわせると４つの部品）により構成されている。すなわち、少ない部品点数の医療用コネクタ１００を実現することができる。
【００９６】
また、係止面１４ｃ及び係止溝１２は、第１コネクタ部１０の外周面に形成されており、係止部２６は、第１コネクタ部１０の外周側から係止面１４ｃ及び係止溝１２に対して係止される。よって、第２コネクタ部２０が第１コネクタ部１０に対して接続された状態において、爪状部２６ｂと、係止面１４ｃ及び係止溝１２と、の係止部位が外部に露出している。このため、爪状部２６ｂが係止面１４ｃ及び係止溝１２に対して係止されているか否かを、医療用コネクタ１００の外部からの視認により容易に判別することができる。
【００９７】
＜変形例１＞
図７は変形例１に係る医療用コネクタ２００の正面断面図であり、このうち図７（ａ）は分離状態を示し、図７（ｂ）は接続状態を示す。
【００９８】
この医療用コネクタ２００は、第１コネクタ部１０が雄コネクタであり、第２コネクタ部２０が雌コネクタである点（上記の実施形態とは雄と雌が逆である点）で、上記の実施形態に係る医療用コネクタ１００と相違し、その他の点は医療用コネクタ１００と同様に構成されている。
【００９９】
図７に示すように、第１コネクタ部１０は、接続状態において第２コネクタ部２０の第１挿入部２２内に挿入される挿入部２０１を有している。第１コネクタ部１０における挿入部２０１の周囲には、接続状態において第１挿入部２２が挿入される筒状のスリット部２０２が形成されている。
【０１００】
なお、第１挿入部２２にＯリング固定溝２２ａが形成されていない代わりに、挿入部２０１の外周面にＯリング固定溝２０１ａが形成されている。Ｏリング固定溝２０１ａにＯリング２９が嵌め込まれることによって、Ｏリング２９が挿入部２０１の周囲に固定されている。
【０１０１】
変形例１においても、上記の実施形態と同様のオペレーションにより、第１コネクタ部１０と第２コネクタ部２０とを相互に接続したり、第１コネクタ部１０から第２コネクタ部２０を取り外したりすることができる。
【０１０２】
＜変形例２＞
図８は変形例２に係る医療用コネクタのアーム部２６ａの形状を示す図であり、このうち図８（ａ）は正面図、図８（ｂ）は図８（ａ）のＩ−Ｉ断面図である。
【０１０３】
本変形例２においては、解除部３２とアーム部２６ａとの摺動抵抗を低減するために、アーム部２６ａにおける内側の面にリブ５１を形成している。リブ５１は、第２コネクタ部２０の軸方向に延在している。アーム部２６ａは、リブ５１の頂面において、解除部３２と接触する。リブ５１が形成されていることにより、アーム部２６ａと解除部３２との接触面積が低減され、解除部３２とアーム部２６ａとの摺動抵抗を低減される。
【０１０４】
なお、図示は省略するが、リブ５１の代わりに、解除部３２におけるアーム部２６ａ側の面に、リブ５１と同様のリブを形成しても良い。
更に、解除部３２において、接続状態において第１コネクタ部１０側を向く面（アーム部２６ａ側の面に対する裏面）に、リブ５１と同様のリブを形成し、解除部３２と第１コネクタ部１０との摺動抵抗を低減しても良い。
【０１０５】
＜変形例３＞
図９は変形例３に係る医療用コネクタの解除規制部材６０を示す図であり、このうち図９（ａ）は解除規制部材６０を一方から見た図、図９（ｂ）は図９（ａ）の矢印Ｆ方向から解除規制部材６０を見た図である。
【０１０６】
変形例３に係る医療用コネクタは、上記の実施形態に係る医療用コネクタ１００と、解除規制部材６０と、を有する。
【０１０７】
図２に示すように、接続状態の医療用コネクタ１００を正面から見たときには、第２挿入部２５と一対の解除部３２との間に、それぞれ隙間６５が存在し、この隙間６５が医療用コネクタ１００を手前側から奥側に向けて貫通している。
【０１０８】
図９に示すように、解除規制部材６０は、Ｕ字型などの門型の部材であり、一対の挿入部６１と、これら挿入部６１を相互に連結している連結部６２と、を有している。解除規制部材６０の厚みｄ（図９（ｂ））は、接続状態における操作部３１と第２鍔状部２４との間隔と同等であるか、当該間隔よりも若干小さく設定されている。
【０１０９】
一対の挿入部６１を一対の隙間６５にそれぞれ挿入することにより、解除操作部３０が第２コネクタ部２０に対して相対的に第１方向に移動してしまうことが規制される。よって、第１コネクタ部１０と第２コネクタ部２０との接続信頼性を更に高めることができる。
【０１１０】
各挿入部６１の先端部には、フック部６３が形成されていても良い。これにより、一対の隙間６５から各挿入部６１が抜けてしまう可能性を低減できる。この場合、例えば、一対の挿入部６１が互いに近づくように、２本の指で一対の挿入部６１をつまんで押圧することにより、容易に、一対の隙間６５から各挿入部６１を引き抜くことができる。
【０１１１】
なお、図４に示すように、接続状態の医療用コネクタ１００を側方から見たときには、第２挿入部２５と一対の係止復帰部３３との間に、それぞれ隙間６６が存在し、この隙間６６が医療用コネクタ１００を手前側から奥側に向けて貫通している。よって、一対の挿入部６１を、一対の隙間６６にそれぞれ挿入することによっても、解除操作部３０が第２コネクタ部２０に対して相対的に第１方向に移動してしまうことを規制し、第１コネクタ部１０と第２コネクタ部２０との接続信頼性を高めることができる。
【０１１２】
また、上記においては、係止部２６が２つの例を説明したが、係止部２６は１つでも良いし、３つ以上でも良い。
【０１１３】
また、上記においては、係止復帰部３３が、解除操作部３０と一体的に設けられた弾性片である例を説明したが、係止復帰部３３は、その他のものであっても良い。例えば、係止復帰部３３は、第２鍔状部２４と操作部３１との間に配置され、第２鍔状部２４と操作部３１とを互いに遠ざける方向に付勢するコイルスプリングであっても良い。
【０１１４】
また、上記においては、第１係止部が係止面１４ｃと係止溝１２とを有する例を説明したが、第１係止部は、係止面１４ｃ（つまり第１方向側を向く段差面）のみを有していても良い。
【０１１５】
また、上記においては、患者の体内から収集した液を貯留するタイプの医療用貯液器である医療用吸引集液器１５０について説明したが、医療用貯液器は、患者の体内へ送られる液を貯留するタイプの医療用送液器であっても良い。
【０１１６】
上記の各形態における各構成要素は、必ずしも個々に独立した存在である必要はない。複数の構成要素が一個の部材として形成されていても良いし、一つの構成要素が複数の部材で形成されていても良いし、ある構成要素が他の構成要素の一部であっても良いし、ある構成要素の一部と他の構成要素の一部とが重複していても良い。
【符号の説明】
【０１１７】
１０ 第１コネクタ部
１１ 第１コネクタ本体
１２ 係止溝（第１係止部）
１４ 第１鍔状部
１４ａ テーパー状部
１４ｂ 頂部
１４ｃ 係止面（第１係止部）
１５ 鍔状部
１６ 一端
１７ 他端
２０ 第２コネクタ部
２１ 第２コネクタ本体
２２ 第１挿入部
２２ａ Ｏリング固定溝
２３ 管固定部
２３ａ 管固定フック部
２４ 第２鍔状部
２４ａ ガイド孔
２４ｂ 係合溝
２５ 第２挿入部
２６ 係止部（第２係止部）
２６ａ アーム部
２６ｂ 爪状部
２７ 一端
２８ 他端
２９ Ｏリング
３０ 解除操作部
３１ 操作部
３１ａ 挿入孔
３２ 解除部
３３ 係止復帰部
３３ａ  傾斜面
３４ 脱落規制フック
５１ リブ
６０ 解除規制部材
６１ 挿入部
６２ 連結部
６３ フック部
６５ 隙間
６６ 隙間
１００ 医療用コネクタ
１５０ 医療用吸引集液器（医療用集液器）
１５０ａ 本体部
１５１ 貯留部
１５２ ウォータートラップ部
１５３ 吸引圧調整部
１５５ 集液管
１５８ 排液口
１５７ 吸引管
１５９ 栓
１６０ 栓
１７０ 取手部
１８０ 吊下げフック
２００ 医療用コネクタ
２０１ 挿入部
２０１ａ Ｏリング固定溝
２０２ スリット部
【図１】
2014030540.tif 000003
【図２】
2014030540.tif 000004
【図３】
2014030540.tif 000005
【図４】
2014030540.tif 000006
【図５】
2014030540.tif 000007
【図６】
2014030540.tif 000008
【図７】
2014030540.tif 000009
【図８】
2014030540.tif 000010
【図９】
2014030540.tif 000011